(57)【特許請求の範囲】
【請求項１】
警備端末と、前記警備端末と通信する振分け装置と、前記振分け装置と通信する複数の格納装置と、前記複数の格納装置と通信する確認用端末と、を含む警備用データ管理システムであって、
前記警備端末は、
時刻を表す時刻情報を生成する生成部と、
警備用データを受け付けた場合に、前記生成部から前記時刻情報を取得し、該時刻情報を該警備用データに付与し、該時刻情報が付与された警備用データを、前記振分け装置に送信する送信制御部と、を含み、
前記振分け装置は、前記警備端末から前記警備用データを受け付けた場合に、該警備用データを、前記複数の格納装置のいずれかに提供する提供部を含み、
前記複数の格納装置のそれぞれは、
前記警備用データを格納するための格納部と、
前記振分け装置から前記警備用データを受け付けた場合に、該警備用データを前記格納部に格納する制御部と、を含み、
前記確認用端末は、
時刻情報を受け付ける時刻情報受付部と、
前記時刻情報受付部にて受け付けられた時刻情報を格納している前記格納装置を、前記複数の格納装置から特定し、該特定された格納装置から、該時刻情報が付与されている警備用データを取得する取得部と、
前記取得部が取得した警備用データを表示する表示部と、を含む、警備用データ管理システム。
【請求項２】
警備端末と、前記警備端末と通信する振分け装置と、前記振分け装置と通信する複数の格納装置と、前記複数の格納装置と通信する確認用端末と、を含む警備用データ管理システムであって、
前記警備端末は、
時刻を表す時刻情報を生成する生成部と、
警備用データを受け付けた場合に、前記生成部から前記時刻情報を取得し、該時刻情報を発生時刻として該警備用データに付与し、該発生時刻が付与された警備用データを、前記振分け装置に送信する送信制御部と、を含み、
前記振分け装置は、
前記警備端末から前記警備用データを受け付けた場合に、該警備用データを分割することによって生成される複数の部分データのいずれかに前記発生時刻が含まれるように、該警備用データを分割して前記複数の部分データを生成し、各部分データに、共通の管理情報を付与する分割部と、
前記分割部にて前記管理情報が付与された複数の部分データを、該部分データごとに、前記複数の格納装置のいずれかに提供する提供部と、を含み、
前記複数の格納装置のそれぞれは、
前記複数の格納装置での基準時刻を示す時刻情報を出力する時計部と、
前記部分データを格納するための格納部と、
前記振分け装置から前記部分データを受け付けた場合に、前記時計部から前記時刻情報を取得し、該時刻情報を保存時刻として該部分データに付与し、該保存時刻が付与された部分データを前記格納部に格納する制御部と、を含み、
前記確認用端末は、
時刻情報を受け付ける時刻情報受付部と、
前記時刻情報受付部にて受け付けられた時刻情報を前記発生時刻として格納している前記格納装置を、前記複数の格納装置から特定し、該特定された格納装置から、該発生時刻が付与されている部分データを取得し、該取得された部分データに付与されている管理情報を有する他の部分データを前記複数の格納装置から取得する取得部と、
前記取得部にて取得された部分データに付与されている保存時刻に基づいて該部分データを並べて前記警備用データを復元する復元部と、
前記復元部にて復元された警備用データを表示する表示部と、を含む、警備用データ管理システム。
【請求項３】
請求項２に記載の警備用データ管理システムにおいて、
前記提供部は、前記各部分データを、前記警備用データでの並び順で提供していき、
前記復元部は、前記部分データを、前記保存時刻が古い順に並べて、前記警備用データを復元する、警備用データ管理システム。
【請求項４】
請求項１ないし３のいずれか１項に記載の警備用データ管理システムにおいて、
前記振分け装置は複数あり、
前記警備端末は、前記複数の振分け装置のいずれかを選択する選択部をさらに含み、
前記送信制御部は、前記選択部にて選択された振分け装置に、前記時刻情報が付与された警備用データを送信する、警備用データ管理システム。
【請求項５】
警備端末と、前記警備端末と通信する複数の振分け装置と、前記複数の振分け装置と通信する複数の格納装置と、前記複数の格納装置と通信する確認用端末と、を含む警備用データ管理システムであって、
前記警備端末は、
時刻を表す時刻情報を生成する生成部と、
警備用データを受け付けた場合に、前記生成部から前記時刻情報を取得し、その後、前記警備用データを分割して複数の分割データを生成し、各分割データに、該時刻情報を発生時刻として付与する付与部と、
前記付与部にて前記発生時刻が付与された複数の分割データを、該分割データごとに、前記複数の振分け装置のいずれかに供給する供給部と、を含み、
前記複数の振分け装置のそれぞれは、
前記警備端末から前記分割データを受け付けた場合に、該分割データを分割することによって生成される複数の部分データのいずれかに前記発生時刻が含まれるように、該分割データを分割して前記複数の部分データを生成し、各部分データに、共通の管理情報を付与する分割部と、
前記分割部にて前記管理情報が付与された複数の部分データを、該部分データごとに、前記複数の格納装置のいずれかに提供する提供部と、を含み、
前記複数の格納装置のそれぞれは、
前記複数の格納装置での基準時刻を示す時刻情報を出力する時計部と、
前記部分データを格納するための格納部と、
前記振分け装置から前記部分データを受け付けた場合に、前記時計部から前記時刻情報を取得し、該時刻情報を保存時刻として該部分データに付与し、該保存時刻が付与された部分データを前記格納部に格納する制御部と、を含み、
前記確認用端末は、
時刻情報を受け付ける時刻情報受付部と、
前記時刻情報受付部にて受け付けられた時刻情報を前記発生時刻として格納している前記格納装置を、前記複数の格納装置から特定し、該特定された格納装置から、該発生時刻が付与されている複数の部分データを取得し、該取得された複数の部分データのそれぞれに付与されている管理情報を有する他の部分データを前記複数の格納装置から取得する取得部と、
前記取得部にて取得された部分データに付与されている保存時刻および管理情報に基づいて該部分データを並べて前記警備用データを復元する復元部と、
前記復元部にて復元された警備用データを表示する表示部と、を含む、警備用データ管理システム。
【請求項６】
警備端末と、前記警備端末と通信する振分け装置と、格納部を有し前記振分け装置と通信する複数の格納装置と、前記複数の格納装置と通信する確認用端末と、を含む警備用データ管理システムが行う警備データ用データ管理方法であって、
前記警備端末が、時刻を表す時刻情報を生成する生成ステップと、
前記警備端末が、警備用データを受け付けた場合に、前記時刻情報を取得し、該時刻情報を該警備用データに付与し、該時刻情報が付与された警備用データを、前記振分け装置に送信する送信制御ステップと、
前記振分け装置が、前記警備端末から前記警備用データを受け付けた場合に、該警備用データを、前記複数の格納装置のいずれかに提供する提供ステップと、
前記格納装置が、前記振分け装置から前記警備用データを受け付けた場合に、該警備用データを前記格納部に格納する格納ステップと、
前記確認用端末が、時刻情報を受け付ける時刻情報受付ステップと、
前記確認用端末が、前記受け付けられた時刻情報を格納している前記格納装置を、前記複数の格納装置から特定し、該特定された格納装置から、該時刻情報が付与されている警備用データを取得する取得ステップと、
前記確認用端末が、前記取得された警備用データを表示する表示ステップと、を含む警備用データ管理方法。
【請求項７】
警備端末と、前記警備端末と通信する振分け装置と、格納部を有し前記振分け装置と通信する複数の格納装置と、前記複数の格納装置と通信する確認用端末と、を含む警備用データ管理システムが行う警備用データ管理方法であって、
前記警備端末が、時刻を表す時刻情報を生成する生成ステップと、
前記警備端末が、警備用データを受け付けた場合に、前記時刻情報を取得し、該時刻情報を発生時刻として該警備用データに付与し、該発生時刻が付与された警備用データを、前記振分け装置に送信する送信制御ステップと、
前記振分け装置が、前記警備端末から前記警備用データを受け付けた場合に、該警備用データを分割することによって生成される複数の部分データのいずれかに前記発生時刻が含まれるように、該警備用データを分割して前記複数の部分データを生成し、各部分データに、共通の管理情報を付与する分割ステップと、
前記振分け装置が、前記管理情報が付与された複数の部分データを、該部分データごとに、前記複数の格納装置のいずれかに提供する提供ステップと、
前記格納装置が、前記複数の格納装置での基準時刻を示す基準時刻情報を出力する出力ステップと、
前記格納装置が、前記振分け装置から前記部分データを受け付けた場合に、前記基準時刻情報を取得し、該基準時刻情報を保存時刻として該部分データに付与し、該保存時刻が付与された部分データを前記格納部に格納する格納ステップと、
前記確認用端末が、時刻情報を受け付ける時刻情報受付ステップと、
前記確認用端末が、前記受け付けられた時刻情報を前記発生時刻として格納している前記格納装置を、前記複数の格納装置から特定し、該特定された格納装置から、該発生時刻が付与されている部分データを取得し、該取得された部分データに付与されている管理情報を有する他の部分データを前記複数の格納装置から取得する取得ステップと、
前記確認用端末が、前記取得された部分データに付与されている保存時刻に基づいて該部分データを並べて前記警備用データを復元する復元ステップと、
前記確認用端末が、前記復元された警備用データを表示する表示ステップと、を含む警備用データ管理方法。
【請求項８】
請求項７に記載の警備用データ管理方法において、
前記提供ステップでは、前記各部分データを、前記警備用データでの並び順で提供していき、
前記復元ステップでは、前記部分データを、前記保存時刻が古い順に並べて、前記警備用データを復元する、警備用データ管理方法。
【請求項９】
請求項６ないし８のいずれか１項に記載の警備用データ管理方法において、
前記振分け装置は複数あり、
前記警備端末が、前記複数の振分け装置のいずれかを選択する選択ステップをさらに含み、
前記送信制御ステップでは、前記選択された振分け装置に、前記時刻情報が付与された警備用データを送信する、警備用データ管理方法。
【請求項１０】
警備端末と、前記警備端末と通信する複数の振分け装置と、格納部を有し前記複数の振分け装置と通信する複数の格納装置と、前記複数の格納装置と通信する確認用端末と、を含む警備用データ管理システムが行う警備用データ管理方法であって、
前記警備端末が、時刻を表す時刻情報を生成する生成ステップと、
前記警備端末が、警備用データを受け付けた場合に、前記時刻情報を取得し、その後、前記警備用データを分割して複数の分割データを生成し、各分割データに、該時刻情報を発生時刻として付与する付与ステップと、
前記警備端末が、前記発生時刻が付与された複数の分割データを、該分割データごとに、前記複数の振分け装置のいずれかに供給する供給ステップと、
前記振分け装置が、前記警備端末から前記分割データを受け付けた場合に、該分割データを分割することによって生成される複数の部分データのいずれかに前記発生時刻が含まれるように、該分割データを分割して前記複数の部分データを生成し、各部分データに、共通の管理情報を付与する分割ステップと、
前記振分け装置が、前記管理情報が付与された複数の部分データを、該部分データごとに、前記複数の格納装置のいずれかに提供する提供ステップと、
前記格納装置が、前記複数の格納装置での基準時刻を示す基準時刻情報を出力する出力ステップと、
前記格納装置が、前記振分け装置から前記部分データを受け付けた場合に、前記基準時刻情報を取得し、該基準時刻情報を保存時刻として該部分データに付与し、該保存時刻が付与された部分データを前記格納部に格納する格納ステップと、
前記確認用端末が、時刻情報を受け付ける時刻情報受付ステップと、
前記確認用端末が、前記受け付けられた時刻情報を前記発生時刻として格納している前記格納装置を、前記複数の格納装置から特定し、該特定された格納装置から、該発生時刻が付与されている複数の部分データを取得し、該取得された複数の部分データのそれぞれに付与されている管理情報を有する他の部分データを前記複数の格納装置から取得する取得ステップと、
前記確認用端末が、前記取得された部分データに付与されている保存時刻および管理情報に基づいて該部分データを並べて前記警備用データを復元する復元ステップと、
前記確認用端末が、前記復元された警備用データを表示する表示ステップと、を含む警備用データ管理方法。
【発明の詳細な説明】
【技術分野】
【０００１】
本発明は、警備用データ管理システムおよび警備用データ管理方法に関し、特には、警備用データを分散して管理する警備用データ管理システムおよび警備用データ管理方法に関する。
【背景技術】
【０００２】
犯罪の増加により、一般家庭でもセキュリティへの関心が強まっている。そのため、警備会社が提供している警備サービスの利用が増加している。
【０００３】
警備会社は、安価にサービスを提供するために、インターネットなどの安価な公衆ネットワークを利用して、警備サービスを提供するようになってきている。
【０００４】
図１０は、従来の警備サービスシステムの一例を示したブロック図である。
【０００５】
図１０において、警備会社の監視センタ１００には、サーバ１０１と、データ格納部１０２とが設置される。サーバ１０１は、インターネット等の公衆ネットワーク１０３を介して、警備端末１０４ないし１０６と通信する。
【０００６】
警備端末１０４ないし１０６は、警備データおよび警報データ等の警備用データを、公衆ネットワーク１０３を介してサーバ１０１に提供する。なお、警備データは、警備の開始を表す警備開始情報、および、警備の解除を表す警備解除情報のいずれかであり、警報データは、防犯センサ等のセンサ（不図示）が不審物を検出した際に発生される。サーバ１０１は、その警備用データを、データ格納部１０２に格納する。
【０００７】
一方、近年、公衆ネットワークを介した不正アクセスが増加し、また、それに伴い、個人情報および機密情報の漏洩が増加している。
【０００８】
監視センタ１００には、警備サービスの加入者の氏名、住所および連絡先などの個人情報が保管されており、個人情報が漏洩した場合は、警備会社の信頼が低下する。
【０００９】
さらに、警備データは、警備の開始および解除を示すため、外出時刻および帰宅時刻といった加入者の生活パターンが、加入者の警備データから推測される。よって、警備データも、重要な個人情報の１つであり、この警備データが犯罪に使われる可能性があると考えられる。
【００１０】
このため、警備会社は、安価なサービスを提供すると同時に、情報管理の安全性も望んでいる。
【００１１】
特許文献１（特開２００２−２８１０２１号公報）には、データのセキュリティを高めるためにデータを分散して管理するデータ分散管理システムが記載されている。
【００１２】
このシステムでは、受付コンピュータは、管理対象データを受け付けると、その管理対象データに受付番号を付与し、その後、その管理対象データを複数のデータ切片に分割し、その後、各データ切片に、該受付番号とデータ順番号とからなる切片番号データ、および、タイムスタンプを挿入する。
【００１３】
その後、受付コンピュータは、各データ切片を暗号化し、その暗号化された各データ切片を、複数の格納コンピュータに格納していく。その後、受付コンピュータは、各データ切片に付けられたタイムスタンプを格納する。
【００１４】
また、受付コンピュータは、管理対象データのデータ復元要求を受け付けると、その管理対象データの各データ切片に対応するタイムスタンプを用いて、暗号化された各データ切片を複数の格納コンピュータから取得し、その後、各データ切片を復号し、その後、各データ切片から切片番号データを抽出し、その切片番号データを用いて、各データ切片を復元する。
【特許文献１】特開２００２−２８１０２１号公報
【発明の開示】
【発明が解決しようとする課題】
【００１５】
特許文献１には、データ分散管理システムが、警備システムとして使用される点は記載されていない。また、このデータ分散管理システムでは、管理対象データを格納コンピュータに振り分ける受付コンピュータが、各データ切片に対してデータ順番号を付与するため、管理対象データを振り分けるコンピュータが、データ順番号を管理するという煩わしい処理を行う。
【００１６】
本発明の目的は、警備用データを安全にかつ簡単に管理することが可能な、警備用データ管理システムおよび警備用データ管理方法を提供することである。
【課題を解決するための手段】
【００１７】
上記目的を達成するために、本発明の警備用データ管理システムは、警備端末と、前記警備端末と通信する振分け装置と、前記振分け装置と通信する複数の格納装置と、前記複数の格納装置と通信する確認用端末と、を含む警備用データ管理システムであって、前記警備端末は、時刻を表す時刻情報を生成する生成部と、警備用データを受け付けた場合に、前記生成部から前記時刻情報を取得し、該時刻情報を該警備用データに付与し、該時刻情報が付与された警備用データを、前記振分け装置に送信する送信制御部と、を含み、前記振分け装置は、前記警備端末から前記警備用データを受け付けた場合に、該警備用データを、前記複数の格納装置のいずれかに提供する提供部を含み、前記複数の格納装置のそれぞれは、前記警備用データを格納するための格納部と、前記振分け装置から前記警備用データを受け付けた場合に、該警備用データを前記格納部に格納する制御部と、を含み、前記確認用端末は、時刻情報を受け付ける時刻情報受付部と、前記時刻情報受付部にて受け付けられた時刻情報を格納している前記格納装置を、前記複数の格納装置から特定し、該特定された格納装置から、該時刻情報が付与されている警備用データを取得する取得部と、前記取得部が取得した警備用データを表示する表示部と、を含む。
【００１８】
また、本発明の警備用データ管理方法は、警備端末と、前記警備端末と通信する振分け装置と、格納部を有し前記振分け装置と通信する複数の格納装置と、前記複数の格納装置と通信する確認用端末と、を含む警備用データ管理システムが行う警備データ用データ管理方法であって、前記警備端末が、時刻を表す時刻情報を生成する生成ステップと、前記警備端末が、警備用データを受け付けた場合に、前記時刻情報を取得し、該時刻情報を該警備用データに付与し、該時刻情報が付与された警備用データを、前記振分け装置に送信する送信制御ステップと、前記振分け装置が、前記警備端末から前記警備用データを受け付けた場合に、該警備用データを、前記複数の格納装置のいずれかに提供する提供ステップと、前記格納装置が、前記振分け装置から前記警備用データを受け付けた場合に、該警備用データを前記格納部に格納する格納ステップと、前記確認用端末が、時刻情報を受け付ける時刻情報受付ステップと、前記確認用端末が、前記受け付けられた時刻情報を格納している前記格納装置を、前記複数の格納装置から特定し、該特定された格納装置から、該時刻情報が付与されている警備用データを取得する取得ステップと、前記確認用端末が、前記取得された警備用データを表示する表示ステップと、を含む。
【００１９】
上記発明によれば、警備用データは、複数の格納装置のいずれかに格納される。このため、複数の格納装置のいずれかから警備用データが漏洩しても、他の格納装置に格納されている警備用データは漏洩せず、警備用データの漏洩の被害を少なくすることが可能になる。
【００２０】
また、振分け装置は、警備用データを分割しないため、データ切片に対してデータ順番号を付与する処理を行わない。このため、警備用データを振り分ける振分け装置の負荷が大きくなることを防止できる。
【００２１】
したがって、警備用データを安全にかつ簡単に管理することが可能になる。
【００２２】
また、本発明の警備用データ管理システムは、警備端末と、前記警備端末と通信する振分け装置と、前記振分け装置と通信する複数の格納装置と、前記複数の格納装置と通信する確認用端末と、を含む警備用データ管理システムであって、前記警備端末は、時刻を表す時刻情報を生成する生成部と、警備用データを受け付けた場合に、前記生成部から前記時刻情報を取得し、該時刻情報を発生時刻として該警備用データに付与し、該発生時刻が付与された警備用データを、前記振分け装置に送信する送信制御部と、を含み、前記振分け装置は、前記警備端末から前記警備用データを受け付けた場合に、該警備用データを分割することによって生成される複数の部分データのいずれかに前記発生時刻が含まれるように、該警備用データを分割して前記複数の部分データを生成し、各部分データに、共通の管理情報を付与する分割部と、前記分割部にて前記管理情報が付与された複数の部分データを、該部分データごとに、前記複数の格納装置のいずれかに提供する提供部と、を含み、前記複数の格納装置のそれぞれは、前記複数の格納装置での基準時刻を示す時刻情報を出力する時計部と、前記部分データを格納するための格納部と、前記振分け装置から前記部分データを受け付けた場合に、前記時計部から前記時刻情報を取得し、該時刻情報を保存時刻として該部分データに付与し、該保存時刻が付与された部分データを前記格納部に格納する制御部と、を含み、前記確認用端末は、時刻情報を受け付ける時刻情報受付部と、前記時刻情報受付部にて受け付けられた時刻情報を前記発生時刻として格納している前記格納装置を、前記複数の格納装置から特定し、該特定された格納装置から、該発生時刻が付与されている部分データを取得し、該取得された部分データに付与されている管理情報を有する他の部分データを前記複数の格納装置から取得する取得部と、前記取得部にて取得された部分データに付与されている保存時刻に基づいて該部分データを並べて前記警備用データを復元する復元部と、前記復元部にて復元された警備用データを表示する表示部と、を含む。
【００２３】
また、本発明の警備用データ管理方法は、警備端末と、前記警備端末と通信する振分け装置と、格納部を有し前記振分け装置と通信する複数の格納装置と、前記複数の格納装置と通信する確認用端末と、を含む警備用データ管理システムが行う警備用データ管理方法であって、前記警備端末が、時刻を表す時刻情報を生成する生成ステップと、前記警備端末が、警備用データを受け付けた場合に、前記時刻情報を取得し、該時刻情報を発生時刻として該警備用データに付与し、該発生時刻が付与された警備用データを、前記振分け装置に送信する送信制御ステップと、前記振分け装置が、前記警備端末から前記警備用データを受け付けた場合に、該警備用データを分割することによって生成される複数の部分データのいずれかに前記発生時刻が含まれるように、該警備用データを分割して前記複数の部分データを生成し、各部分データに、共通の管理情報を付与する分割ステップと、前記振分け装置が、前記管理情報が付与された複数の部分データを、該部分データごとに、前記複数の格納装置のいずれかに提供する提供ステップと、前記格納装置が、前記複数の格納装置での基準時刻を示す基準時刻情報を出力する出力ステップと、前記格納装置が、前記振分け装置から前記部分データを受け付けた場合に、前記基準時刻情報を取得し、該基準時刻情報を保存時刻として該部分データに付与し、該保存時刻が付与された部分データを前記格納部に格納する格納ステップと、前記確認用端末が、時刻情報を受け付ける時刻情報受付ステップと、前記確認用端末が、前記受け付けられた時刻情報を前記発生時刻として格納している前記格納装置を、前記複数の格納装置から特定し、該特定された格納装置から、該発生時刻が付与されている部分データを取得し、該取得された部分データに付与されている管理情報を有する他の部分データを前記複数の格納装置から取得する取得ステップと、前記確認用端末が、前記取得された部分データに付与されている保存時刻に基づいて該部分データを並べて前記警備用データを復元する復元ステップと、前記確認用端末が、前記復元された警備用データを表示する表示ステップと、を含む。
【００２４】
上記発明によれば、発生時刻が付与された警備用データは分散されて部分データとして複数の格納装置に格納される。振分け装置は、復元時に使用される共通の管理番号を、各部分データに付与し、また、各格納装置は、部分データの並び順を規定するための保存時刻を部分データに付与する。
【００２５】
警備用データが分散されて複数の格納装置に格納されるため、警備用データの漏洩を防ぐことが可能になる。また、振分け装置が、部分データの並び順を規定するための情報を部分データに付与しなくて済むため、警備用データを振り分ける振分け装置の負荷が大きくなることを防止できる。
【００２６】
したがって、警備用データを安全にかつ簡単に管理することが可能になる。
【００２７】
前記提供部は、前記各部分データを、前記警備用データでの並び順で提供していき、前記復元部は、前記部分データを、前記保存時刻が古い順に並べて、前記警備用データを復元することが望ましい。
【００２８】
上記発明によれば、保存時刻に基づいて、警備用データを容易に復元することが可能になる。
【００２９】
なお、前記振分け装置は複数あり、前記警備端末は、前記複数の振分け装置のいずれかを選択する選択部をさらに含み、前記送信制御部は、前記選択部にて選択された振分け装置に、前記時刻情報が付与された警備用データを送信することが望ましい。
【００３０】
上記発明によれば、警備用データが、１つの振分け装置に集中して送信されることを防止できる。このため、警備用データが特定の振分け装置から漏洩する不都合が生じても、他の振分け装置に送信された警備用データが漏洩してしまうことを防止できる。
【００３１】
また、本発明の警備用データ管理システムは、警備端末と、前記警備端末と通信する複数の振分け装置と、前記複数の振分け装置と通信する複数の格納装置と、前記複数の格納装置と通信する確認用端末と、を含む警備用データ管理システムであって、前記警備端末は、時刻を表す時刻情報を生成する生成部と、警備用データを受け付けた場合に、前記生成部から前記時刻情報を取得し、その後、前記警備用データを分割して複数の分割データを生成し、各分割データに、該時刻情報を発生時刻として付与する付与部と、前記付与部にて前記発生時刻が付与された複数の分割データを、該分割データごとに、前記複数の振分け装置のいずれかに供給する供給部と、を含み、前記複数の振分け装置のそれぞれは、前記警備端末から前記分割データを受け付けた場合に、該分割データを分割することによって生成される複数の部分データのいずれかに前記発生時刻が含まれるように、該分割データを分割して前記複数の部分データを生成し、各部分データに、共通の管理情報を付与する分割部と、前記分割部にて前記管理情報が付与された複数の部分データを、該部分データごとに、前記複数の格納装置のいずれかに提供する提供部と、を含み、前記複数の格納装置のそれぞれは、前記複数の格納装置での基準時刻を示す時刻情報を出力する時計部と、前記部分データを格納するための格納部と、前記振分け装置から前記部分データを受け付けた場合に、前記時計部から前記時刻情報を取得し、該時刻情報を保存時刻として該部分データに付与し、該保存時刻が付与された部分データを前記格納部に格納する制御部と、を含み、前記確認用端末は、時刻情報を受け付ける時刻情報受付部と、前記時刻情報受付部にて受け付けられた時刻情報を前記発生時刻として格納している前記格納装置を、前記複数の格納装置から特定し、該特定された格納装置から、該発生時刻が付与されている複数の部分データを取得し、該取得された複数の部分データのそれぞれに付与されている管理情報を有する他の部分データを前記複数の格納装置から取得する取得部と、前記取得部にて取得された部分データに付与されている保存時刻および管理情報に基づいて該部分データを並べて前記警備用データを復元する復元部と、前記復元部にて復元された警備用データを表示する表示部と、を含む。
【００３２】
また、本発明の警備用データ管理方法は、警備端末と、前記警備端末と通信する複数の振分け装置と、格納部を有し前記複数の振分け装置と通信する複数の格納装置と、前記複数の格納装置と通信する確認用端末と、を含む警備用データ管理システムが行う警備用データ管理方法であって、前記警備端末が、時刻を表す時刻情報を生成する生成ステップと、前記警備端末が、警備用データを受け付けた場合に、前記時刻情報を取得し、その後、前記警備用データを分割して複数の分割データを生成し、各分割データに、該時刻情報を発生時刻として付与する付与ステップと、前記警備端末が、前記発生時刻が付与された複数の分割データを、該分割データごとに、前記複数の振分け装置のいずれかに供給する供給ステップと、前記振分け装置が、前記警備端末から前記分割データを受け付けた場合に、該分割データを分割することによって生成される複数の部分データのいずれかに前記発生時刻が含まれるように、該分割データを分割して前記複数の部分データを生成し、各部分データに、共通の管理情報を付与する分割ステップと、前記振分け装置が、前記管理情報が付与された複数の部分データを、該部分データごとに、前記複数の格納装置のいずれかに提供する提供ステップと、前記格納装置が、前記複数の格納装置での基準時刻を示す基準時刻情報を出力する出力ステップと、前記格納装置が、前記振分け装置から前記部分データを受け付けた場合に、前記基準時刻情報を取得し、該基準時刻情報を保存時刻として該部分データに付与し、該保存時刻が付与された部分データを前記格納部に格納する格納ステップと、前記確認用端末が、時刻情報を受け付ける時刻情報受付ステップと、前記確認用端末が、前記受け付けられた時刻情報を前記発生時刻として格納している前記格納装置を、前記複数の格納装置から特定し、該特定された格納装置から、該発生時刻が付与されている複数の部分データを取得し、該取得された複数の部分データのそれぞれに付与されている管理情報を有する他の部分データを前記複数の格納装置から取得する取得ステップと、前記確認用端末が、前記取得された部分データに付与されている保存時刻および管理情報に基づいて該部分データを並べて前記警備用データを復元する復元ステップと、前記確認用端末が、前記復元された警備用データを表示する表示ステップと、を含む。
【００３３】
上記発明によれば、警備用データが分散されて分割データとして複数の振分け装置に提供される。このため、分割データが特定の振分け装置から漏洩する不都合が生じても、警備用データが復元される可能性を低くできる。また、振分け装置が、部分データの並び順を規定するための情報を部分データに付与しなくて済むため、警備用データを振り分ける振分け装置の負荷を軽減できる。
【００３４】
したがって、警備用データを安全にかつ簡単に管理することが可能になる。
【発明の効果】
【００３５】
本発明によれば、警備用データを安全にかつ簡単に管理することが可能になる。
【発明を実施するための最良の形態】
【００３６】
以下、本発明の実施例について図面を参照して説明する。
【００３７】
図１は、本発明の一実施例の警備用データ管理システムを示したブロック図である。
【００３８】
図１において、警備用データ管理システムは、警備端末２０１ないし２０３と、振分けサーバ２０５と、データサーバ２０６ないし２０８と、確認用端末２０９とを含む。振分けサーバ２０５と、データサーバ２０６ないし２０８と、確認用端末２０９とは、監視センタ２１０に設置されている。なお、警備端末の数は３台に限らず適宜変更可能である。また、データサーバの数も３台に限らず適宜変更可能である。
【００３９】
警備端末２０１ないし２０３は、インターネット等の公衆ネットワーク２０４を介して、振分けサーバ２０５と接続されている。
【００４０】
警備端末２０１ないし２０３は、入力部（不図示）が操作されて警備状態が変更された場合に、警備の開始または警備の解除を表す警備データを送信し、また、接続中の火災センサ等の防災センサ（不図示）または接続中の侵入者センサ等の防犯センサ（不図示）が反応したときに警報データを送信する。以下では、警備データおよび警報データを、警備用データと称する。
【００４１】
例えば、警備端末２０１は、生成部２０１ａと送信制御部２０１ｂとを含み、警備端末２０２は、生成部２０２ａと送信制御部２０２ｂとを含み、警備端末２０３は、生成部２０３ａと送信制御部２０３ｂとを含む。
【００４２】
なお、生成部２０１ａないし２０３ａは同一構成であり、送信制御部２０１ｂないし２０３ｂは同一構成である。このため、以下では、生成部２０１ａと、送信制御部２０１ｂについてのみ説明する。
【００４３】
生成部２０１ａは、警備用データ管理システムの基準時刻を表す時刻情報を生成する。
【００４４】
送信制御部２０１ｂは、入力部（不図示）、防災センサ（不図示）または防犯センサ（不図示）から警備用データを受け付けると、生成部２０１ａから時刻情報を取得し、その時刻情報を警備用データに付与し、時刻情報が付与された警備用データを、振分けサーバ２０５に送信する。
【００４５】
図２（ａ）は、警備端末２０１から送信される警備用データの一例を示した説明図である。図２（ａ）において、警備用データ１は、端末ＩＤ１ａと、発生時刻１ｂと、信号種別１ｃとを含む。
【００４６】
端末ＩＤ１ａは、警備用データ１を送信した警備端末を識別するための識別情報である。なお、警備端末２０１ないし２０３は、自己を識別するための端末ＩＤを格納しており、送信制御部２０１ｂは、その端末ＩＤを警備用データ１に付与する。
【００４７】
発生時刻１ｂは、警備用データ１が生成された時刻を表す時刻情報である。なお、発生時刻１ｂは、生成部２０１ａから取得された時刻情報である。
【００４８】
信号種別１ｃは、警備用データ１の種別を表す情報であり、例えば、警備開始を表す警備開始情報、警備終了を表す警備終了情報、防災に関する警報（例えば、火災センサの出力）を表す防災警報情報、および、防犯に関する警報（例えば、侵入者センサの出力）を表す防犯警報情報が、信号種別１ｃとして用いられる。
【００４９】
振分けサーバ２０５は、所定の規則に従って決定されたデータサーバに、警備端末２０１ないし２０３から受信した警備用データを送信する。なお、振分けサーバ２０５は、警備用データに管理番号を付与し、管理番号が付与された警備用データをデータサーバに送信する。
【００５０】
図２（ｂ）は、振分けサーバ２０５から送信される警備用データの一例を示した説明図である。図２（ｂ）において、警備用データ１には、管理番号２ａが付与されている。
【００５１】
振分けサーバ２０５は、例えば、提供部２０５ａを含む。提供部２０５ａは、警備端末２０１ないし２０３から警備用データを受け付けると、その警備用データを、複数の格納装置２０６ないし２０８のいずれかに提供する。
【００５２】
データサーバ２０６ないし２０８は、振分けサーバ２０５から受信した警備用データを、その警備用データの保存時刻とともに保存する。
【００５３】
例えば、データサーバ２０６は、時計部２０６ａと、格納部２０６ｂと、制御部２０６ｃとを含み、データサーバ２０７は、時計部２０７ａと、格納部２０７ｂと、制御部２０７ｃとを含み、データサーバ２０８は、時計部２０８ａと、格納部２０８ｂと、制御部２０８ｃとを含む。
【００５４】
なお、時計部２０６ａないし２０８ａは同一構成であり、格納部２０６ｂないし２０８ｂは同一構成であり、制御部２０６ｃないし２０８ｃは同一構成である。このため、以下では、時計部２０６ａと、格納部２０６ｂと、制御部２０６ｃについてのみ説明する。
【００５５】
時計部２０６ａは、警備用データ管理システムの基準時刻を示す時刻情報を出力する。
【００５６】
格納部２０６ｂは、振分けサーバ２０５から受け付けたデータを格納する。
【００５７】
制御部２０６ｃは、振分けサーバ２０５からデータを受け付けると、時計部２０６ａから時刻情報を取得し、その時刻情報を、保存時刻として、振分けサーバ２０５から受け付けたデータに付加し、保存時刻が付加されたデータを格納部２０６ｂに格納する。
【００５８】
図２（ｃ）は、格納部２０６ｂに格納されている警備用データの一例を示した説明図である。図２（ｃ）において、警備用データ１には、管理番号２ａおよび保存時刻２ｂが付与されている。
【００５９】
確認用端末２０９は、監視センタ２１０において警備用データを確認するために、複数のデータサーバ２０６ないし２０８から警備用データを取り出し、その警備用データを表示する。
【００６０】
確認用端末２０９は、例えば、受付部２０９ａと、取得部２０９ｂと、表示部２０９ｃとを含む。
【００６１】
受付部２０９ａは、キーボート、マウス等の入力部で、ユーザから時刻情報を受け付ける。
【００６２】
取得部２０９ｂは、受付部２０９ａにて受け付けられた時刻情報を発生時刻として格納しているデータサーバを特定し、その特定されたデータサーバから、その発生時刻が付与されている警備用データを取得し、その警備用データを表示部２０９ｃに表示する。
【００６３】
次に、動作を説明する。
【００６４】
図３は、振分けサーバ２０５が警備用データを受信した場合の動作を説明するためのフローチャートである。以下、図３を参照して、振分けサーバ２０５の動作を説明する。
【００６５】
振分けサーバ２０５の提供部２０５ａは、警備データまたは警報データ等の警備用データを受信すると（ステップＳ３０１）、その警備用データを送信するデータサーバを、所定の規則にしたがって決定する。なお、本実施例では、提供部２０５ａは、複数のデータサーバ２０６ないし２０８の中から、警備用データを送信するデータサーバをランダムに選択する。
【００６６】
また、提供部２０５ａは、図２（２）で示したように、警備用データに管理番号を付与する（ステップＳ３０２）。本実施例の以下の説明では、管理番号が付与された警備用データを、振分けデータと称する。
【００６７】
続いて、提供部２０５ａは、その振分けデータを、ランダムに選択されたデータサーバに送信する（ステップＳ３０３）。
【００６８】
続いて、提供部２０５ａは、送信された振分けデータを、振分けサーバ２０５から削除する（ステップＳ３０４）。
【００６９】
図４は、データサーバ２０６ないし２０８がデータを受信した場合の動作を説明するためのフローチャートである。以下、図４を参照して、データサーバ２０６ないし２０８の動作を説明する。なお、データサーバ２０６ないし２０８は同様な動作を行うので、以下では、データサーバ２０６の動作のみを説明する。
【００７０】
データサーバ２０６の制御部２０６ｃは、振分けサーバ２０５からデータを受信すると、時計部２０６ａから時刻情報を取得し、その時刻情報を保存時刻として、その受信されたデータに付与し、図２（３）で示したように、保存時刻が付与されたデータを格納部２０６ｂに格納する（ステップＳ４０１、Ｓ４０２、Ｓ４０３）。
【００７１】
図５は、振分けサーバ２０５が、不図示のＮＴＰ（Network Time Protocol）サーバから時刻情報を取得し、その時刻情報を、警備用データ管理システムの基準時刻を示す時刻情報として、データサーバ２０６ないし２０８に送信する動作を説明するためのシーケンス図である。以下、図５を参照して、振分けサーバ２０５の動作を説明する。
【００７２】
振分けサーバ２０５は、ＮＴＰサーバと接続可能であり、一定時間ごとにＮＴＰサーバに接続してＮＴＰサーバから最新の時刻情報を取得する（ステップＳ５０１）。
【００７３】
振分けサーバ２０５は、分割部２０５ａが取得した時刻情報を、すべてのデータサーバ２０６〜２０８に送信する（ステップＳ５０２）。
【００７４】
なお、振分けサーバ２０５は、例えば、時刻制御部を含み、この時刻制御部が、ステップＳ５０１およびＳ５０２を実行してもよい。
【００７５】
データサーバ２０６ないし２０８の各制御部は、この時刻情報を、新たな時刻情報として、各時計部に設定する（ステップＳ５０３、Ｓ５０４）。各時計部は、新たな時刻情報が設定されると、その時刻情報を基準にして計時を行う。
【００７６】
このため、すべてのデータサーバの時計部は、常に同一の時刻情報（警備用データ管理システムの基準時刻）を出力することができる。
【００７７】
図６は、確認用端末２０９が警備用データを表示する場合の動作を説明するためのフローチャートである。以下、図６を参照して、確認用端末２０９の動作を説明する。
【００７８】
確認用端末２０９の表示部２０９ｃのモニタ画面には、警備データおよび警報データ等の警備用データを確認するためのボタンが用意されており、そのボタンが操作されると、確認用端末２０９は、データ復元動作を開始する。
【００７９】
データ復元動作が開始されると、確認用端末２０９の取得部２０９ｂは、複数のデータサーバ２０６ないし２０８から発生時刻を読み取り、その発生時刻を表示部２０９ｃに表示する（ステップＳ６０１）。
【００８０】
確認用端末２０９のユーザは、受付部２０９ａを用いて、表示された発生時刻の中から１つの発生時刻を選択する。
【００８１】
取得部２０９ｂは、入力部にて選択された保存時刻を受け付けると、その保存時刻が付与されている振分けデータを、複数のデータサーバ２０６ないし２０８から収集する（ステップＳ６０２）。
【００８２】
取得部２０９ｂは、その振分けデータ（警備用データ）を表示部２０９ｃに表示する（ステップＳ６０３）。
【００８３】
表示部２０９ｃでの警備用データの表示が終了すると、取得部２０９ｂは、収集された振分けデータを確認用端末２０９から削除する。
【００８４】
本実施例によれば、振分けサーバ２０５は、警備用データを、複数のデータサーバ２０６ないし２０８のいずれかに格納する。このため、複数のデータサーバのいずれかから警備用データが漏洩しても、他のデータサーバに格納されている警備用データは漏洩せず、警備用データの漏洩の被害を少なくすることが可能になる。
【００８５】
また、振分けサーバ２０５は、警備用データを分割しないため、警備用データのデータ切片に対してデータ順番号を付与する処理を行わない。このため、警備用データを振り分ける振分けサーバ２０５の負荷が大きくなることを防止できる。
【００８６】
よって、警備用データを安全にかつ簡単に管理することが可能になる。
【００８７】
なお、警備用データを振り分ける方法は、適宜変更可能である。
【００８８】
例えば、振分けサーバ２０５の提供部２０５ａは、警備用データの信号種別の内容（防犯のものか、防災のものかなど）よって、その警備用データの振分け先を決定してもよい。
【００８９】
上記実施例では、振分けサーバ２０５は、警備用データを１件ごとに別々のデータサーバに振り分けたが、振分けサーバ２０５は、以下のように、警備用データを分割して別々のデータサーバに振り分けてもよい。
【００９０】
例えば、振分けサーバ２０５が分割部と提供部とを含み、その分割部が、１件の警備用データを、データの項目ごとに分割して部分データを生成し、その分割されたデータに共通の管理番号を付与し、その提供部が、その管理番号が付与された部分データを、部分データごとに、警備用データでの並び順で、複数のデータサーバ２０６ないし２０８のいずれかに提供する。
【００９１】
この場合、確認用端末２０９は、受付部２０９ａと、取得部と、復元部と、表示部２０９ｃを含む。
【００９２】
その取得部は、受付部２０９ａにて受け付けられた時刻情報を発生時刻として格納しているデータサーバを特定し、そのデータサーバから、その発生時刻が付与されている部分データを取得し、その部分データに付与されている管理番号を有する部分データを複数のデータサーバ２０６ないし２０８から取得する。
【００９３】
その復元部は、その取得部が取得した複数の部分データに付与されている保存時刻に基づいてそれら部分データを並べて警備用データを復元し、その警備用データを表示部２０９ｃに表示する。具体的には、その復元部は、各部分データを、保存時刻の古い順に並べて警備用データを復元し、その警備用データを表示部２０９ｃに表示する。
【００９４】
この場合、振分けサーバは、発生時刻が付与された警備用データを分散して複数の部分データを生成し、各部分データを複数のデータサーバのいずれかに格納する。振分けサーバは、復元時に使用される共通の管理番号を、各部分データに付与し、また、各データサーバは、部分データの並び順を規定するための保存時刻を、部分データに付与する。
【００９５】
警備用データが分散されて複数のデータサーバに格納されるため、警備用データの漏洩を防ぐことが可能になる。また、振分けサーバが、部分データの並び順を規定するための情報を部分データに付与しなくて済むため、警備用データを振り分ける振分けサーバの負荷が大きくなることを防止できる。
【００９６】
また、データサーバ間の同期を取る方法は、上記に限らず適宜変更可能である。
【００９７】
例えば、それぞれのデータサーバが振分けサーバを経由してＮＴＰサーバから時刻情報を取得してもよいし、ＮＴＰサーバを利用せずに振分けサーバの計時時刻を、それぞれのデータサーバが取得して、データサーバ間の同期をとってもよい。
【００９８】
次に、他の実施例を説明する。
【００９９】
図７は、本発明の他の実施例の警備用データ管理システムを示したブロック図である。なお、図７において、図１に示したものと同一のものには同一符号を付してある。
【０１００】
図７に示した警備用データ管理システムは、警備端末２０１ないし２０３の代わりに警備端末７０１ないし７０３を含み、また、複数の振分けサーバ２０５Ａおよび２０５Ｂを含む。以下、図１に示した警備用データ管理システムと異なる点を中心に説明する。
【０１０１】
警備端末７０１ないし７０３は、公衆ネットワーク２０４を介して、振分けサーバ２０５Ａおよび２０５Ｂと接続可能である。
【０１０２】
警備端末７０１は、生成部２０１ａと、送信制御部２０１ｂと、選択部７０１ａとを含み、警備端末７０２は、生成部２０２ａと、送信制御部２０２ｂと、選択部７０２ａとを含み、警備端末７０３は、生成部２０３ａと、送信制御部２０３ｂと、選択部７０３ａとを含む。選択部７０１ａないし７０３ａは同一構成である。このため、以下では、選択部７０１ａについてのみ説明する。
【０１０３】
選択部７０１ａは、複数の振分けサーバ２０５Ａおよび２０５Ｂのいずれかを選択する。
【０１０４】
送信制御部２０１ｂは、選択部７０１ａにて選択された振分けサーバに、発生時刻が付与された警備用データを送信する。
【０１０５】
複数の振分けサーバ２０５Ａおよび２０５Ｂは、図１に示した振分けサーバ２０５と同一構成である。
【０１０６】
図８は、警備端末７０１ないし７０３が警備用データを送信する場合の動作を説明するためのフローチャートである。以下、図８を参照して、警備端末７０１ないし７０３の動作を説明する。なお、警備端末７０１ないし７０３は同様な動作を行うので、以下では、警備端末７０１の動作のみを説明する。
【０１０７】
警備端末７０１の選択部７０１ａは、警備用データが発生すると、そのデータの発生順に、振分けサーバ２０５Ａ、振分けサーバ２０５Ｂ、振分けサーバ２０５Ａ、振分けサーバ２０５Ｂ・・・と送信先の振分けサーバを選択する（ステップＳ８０１、Ｓ８０２）。
【０１０８】
送信制御部２０１ｂは、警備用データを受け付けると、生成部２０１ａから時刻情報を取得し、その時刻情報を発生時刻として警備用データに付与し、発生時刻が付与された警備用データを、選択部７０１ａが選択した振分けサーバに送信する（ステップＳ８０３）。
【０１０９】
なお、警備端末が、複数の振分けサーバのうち、どの振分けサーバに警備用データを送信するかを決定する方法は上記に限らず適宜変更可能である。
【０１１０】
上記実施例では、警備端末は、警備用データの発生順に振分けサーバを決定したが、警備データの開始か解除かによって振分けサーバを決定してもよいし、警報データの信号種別によって振分けサーバを決定してもよいし、警報データが異常か復旧かを示すかによって振分けサーバを決定してもよいし、警備用データが発生した時刻を振分けサーバの数で割った余りから振分けサーバを決定してもよい。
【０１１１】
本実施例によれば、警備用データが、１つの振分けサーバに集中して送信されることを防止できる。このため、警備用データが特定の振分けサーバから漏洩する不都合が生じても、すべての警備用データが漏洩してしまうことを防止できる。
【０１１２】
次に、さらに他の実施例を説明する。
【０１１３】
図９は、本発明のさらに他の実施例の警備用データ管理システムを示したブロック図である。なお、図９において、図７に示したものと同一のものには同一符号を付してある。
【０１１４】
図９に示した警備用データ管理システムは、警備端末７０１ないし７０３の代わりに警備端末９０１ないし９０３を含み、また、振分けサーバ２０５Ａおよび２０５Ｂの代わりに複数の振分けサーバ９０４および９０５を含み、確認用端末２０９の代わりに確認用端末９０６を含む。以下、図７に示した警備用データ管理システムと異なる点を中心に説明する。
【０１１５】
警備端末９０１ないし９０３は、公衆ネットワーク２０４を介して、振分けサーバ９０４および９０５と接続可能である。
【０１１６】
警備端末９０１は、生成部２０１ａと、付与部９０１ａと、供給部９０１ｂとを含み、警備端末９０２は、生成部２０２ａと、付与部９０２ａと、供給部９０２ｂとを含み、警備端末９０３は、生成部２０３ａと、付与部９０３ａと、供給部９０３ｂとを含む。
【０１１７】
付与部９０１ａないし９０３ａは同一構成であり、供給部９０１ｂないし９０３ｂは同一構成である。このため、以下では、付与部９０１ａと供給部９０１ｂについてのみ説明する。
【０１１８】
付与部９０１ａは、入力部（不図示）、防災センサ（不図示）または防犯センサ（不図示）から警備用データを受け付けると、生成部２０１ａから時刻情報を取得し、その後、その警備用データを、複数の項目ごと、分割して複数の分割データを生成し、各分割データに、その時刻情報を発生時刻として付与する。
【０１１９】
供給部９０１ｂは、付与部９０１ａにて発生時刻が付与された複数の分割データのそれぞれを、警備用データでの並び順で、複数の振分け装置９０４および９０５のいずれかに供給する。
【０１２０】
振分けサーバ９０４は、分割部９０４ａと提供部９０４ｂとを含み、振分けサーバ９０５は、分割部９０５ａと提供部９０５ｂとを含む。分割部９０４ａおよび９０５ａは同一構成であり、提供部９０４ｂおよび９０５ｂは同一構成である。このため、以下では、分割部９０４ａと提供部９０４ｂについてのみ説明する。
【０１２１】
分割部９０４ａは、警備端末から分割データを受け付けた場合に、その分割データを分割することによって生成される複数の部分データのいずれかに発生時刻が含まれるように、分割データを分割して複数の部分データを生成し、各部分データに、共通の管理番号を付与する。
【０１２２】
提供部９０４ｂは、分割部９０４ａにて管理番号が付与された複数の部分データのそれぞれを、分割データ内での並び順で、複数のデータサーバ２０６ないし２０８のいずれかに提供する。
【０１２３】
確認用端末９０６は、受付部２０９ａと、取得部９０６ａと、復元部９０６ｂとを含む。
【０１２４】
取得部９０６ａは、受付部２０９ａにて受け付けられた時刻情報を発生時刻として格納しているデータサーバを特定し、そのデータサーバから、その発生時刻が付与されている複数の部分データを取得し、その複数の部分データのそれぞれに付与されている管理番号を有する部分データを複数のデータサーバ２０６ないし２０８から取得する。
【０１２５】
復元部９０６ｂは、取得部９０６ａにて取得された部分データに付与されている保存時刻および管理番号に基づいてそれら部分データを並べて警備用データを復元する。
【０１２６】
例えば、復元部９０６ｂは、まず、同じ管理番号が付与されている部分データごとに、それらの部分データを保存時刻の古い順に並べて分割データを復元し、その後、それら分割データから、その分割データに付与されている最も古い保存時刻を検出し、その検出された保存時刻の古い順に、分割データを並べて、警備用データを復元する。
【０１２７】
本実施例によれば、警備用データが分散されて分割データとして複数の振分けサーバ９０４および９０５に提供される。このため、分割データが特定の振分けサーバから漏洩する不都合が生じても、警備用データが復元される可能性を低くできる。また、振分けサーバ９０４および９０５が、部分データの並び順を規定するための情報を部分データに付与しなくて済むため、警備用データを振り分ける振分けサーバの負荷が大きくなることを防止できる。
【０１２８】
以上説明した各実施例において、図示した構成は単なる一例であって、本発明はその構成に限定されるものではない。
【０１２９】
例えば、警備端末の数、振分けサーバの数、データサーバの数、および、確認用端末の数は、適宜変更可能である。
【図面の簡単な説明】
【０１３０】
【図１】本発明の一実施例の警備用データ管理システムを示したブロック図である。
【図２】データの一例を示した説明図である。
【図３】振分けサーバの動作を説明するためのフローチャートである。
【図４】データサーバの動作を説明するためのフローチャートである。
【図５】振分けサーバの動作を説明するためのシーケンス図である。
【図６】確認用端末の動作を説明するためのフローチャートである。
【図７】本発明の他の実施例の警備用データ管理システムを示したブロック図である。
【図８】警備端末の動作を説明するためのフローチャートである。
【図９】本発明のさらに他の実施例の警備用データ管理システムを示したブロック図である。
【図１０】従来の警備サービスシステムの一例を示したブロック図である。
【符号の説明】
【０１３１】
２０１〜２０３      警備端末
２０１ａ〜２０３ａ  生成部
２０１ｂ〜２０３ｂ  送信制御部
２０４              公衆ネットワーク
２０５              振分けサーバ
２０５ａ            提供部
２０６〜２０８      データサーバ
２０６ａ〜２０８ａ  時計部
２０６ｂ〜２０８ｂ  格納部
２０６ｃ〜２０８ｃ  制御部
２０９              確認用端末
２０９ａ            受付部
２０９ｂ            取得部
２０９ｃ            表示部
７０１〜７０３      警備端末
７０１ａ〜７０３ａ  選択部
９０１〜９０３      警備端末
９０１ａ〜９０３ａ  付与部
９０１ｂ〜９０３ｂ  供給部
９０４、９０５      振分けサーバ
９０４ａ、９０５ａ  分割部
９０４ｂ、９０５ｂ  提供部
９０６              確認用端末
９０６ａ            取得部
９０６ｂ            復元部
【図１】
0004796886.tif 000002
【図２】
0004796886.tif 000003
【図３】
0004796886.tif 000004
【図４】
0004796886.tif 000005
【図５】
0004796886.tif 000006
【図６】
0004796886.tif 000007
【図７】
0004796886.tif 000008
【図８】
0004796886.tif 000009
【図９】
0004796886.tif 000010
【図１０】
0004796886.tif 000011